(57)【要約】【課題】放熱しにくくなり、針ヘッドと一緒に移動する電線が破損しやすく、電線の接続が間違いやすいという問題を解決することが可能な電流プローブを提供する。【解決手段】基板に組付けることが可能であり、ケーブルと電気的に接続し、測定対象物の電気的特性を測定するためのものであり、プローブユニットと、第２電気接続ポートと、を備え、プローブユニットは、基板を移動自在に挿通し、電線通過口を備え、ケーブルが電線通過口を通過する針軸と、針軸と電気的に接続する第１電気接続ポートと、針軸の第１電気接続ポートに一端に設けられており、針軸と電気的に接続し、測定対象物に押し付けるためのものであるプローブヘッドと、プローブヘッドを挿通し、針軸に差し込まれ、ケーブルと電気的に接続し、針軸と電気的に絶縁し、針軸の第１電気接続ポートから遠く離れた一側に位置する子プローブと、を備える。【選択図】図１
2019120683.tif 000002
【特許請求の範囲】
【請求項１】
基板に組付けることが可能であり、ケーブルと電気的に接続し、測定対象物の電気的特性を測定するためのものであり、プローブユニットと、第２電気接続ポートと、を備える電流プローブであって、
前記プローブユニットは、
前記基板を移動自在に挿通し、電線通過口を備え、前記ケーブルが前記電線通過口を通過する針軸と、
前記針軸と電気的に接続する第１電気接続ポートと、
前記針軸の前記第１電気接続ポートの一端に設けられており、前記針軸と電気的に接続し、前記測定対象物に押し付けるためのものであるプローブヘッドと、
前記プローブヘッドを挿通し、前記針軸に差し込まれ、前記ケーブルと電気的に接続し、前記針軸と電気的に絶縁し、前記針軸の前記第１電気接続ポートから遠く離れた一側に位置する子プローブと、
を備え、
前記第２電気接続ポートは、前記第１電気接続ポートに対応する電流プローブにおいて、
前記プローブヘッドが前記測定対象物に押し付けられて、前記第１電気接続ポートが分離位置から当接位置に移動すると、前記第１電気接続ポートは前記第２電気接続ポートに当接して、前記プローブヘッドは、前記針軸と前記第１電気接続ポートとを介して、前記第２電気接続ポートと電気的に接続する電流プローブ。
【請求項２】
前記プローブユニットは、更に、外弾性部材と、少なくとも一つの固定部材と、を備え、前記針軸は、軸方向に沿って互いに連接する、第１軸部と、第２軸部と、を備え、前記第１軸部と前記第２軸部とは、それぞれ前記基板の両側から突出し、前記第１電気接続ポートは前記第１軸部に組付けられており、前記電線通過口は前記第１軸部に位置し、前記プローブヘッドは、前記第２軸部の前記第１軸部から遠く離れた一端に設けられており、前記子プローブは前記第２軸部に差し込まれ、前記第２軸部は突起を備え、前記第２軸部は前記外弾性部材を挿通し、前記突起と前記基板とは、それぞれ前記外弾性部材の両側に押し付けられ、前記少なくとも一つの固定部材は、前記第１軸部に組付けられており、前記基板から分離可能であるように、前記基板に当接し、前記第１電気接続ポートが前記分離位置に位置するときには、前記少なくとも一つの固定部材が前記基板に当接する、請求項１に記載の電流プローブ。
【請求項３】
前記第２軸部は収容空間を備え、前記収容空間の前記第１軸部から遠く離れた一端は、前記第１軸部へ伸び、前記電線通過口と連通し、前記プローブユニットは、更に、針スリーブを備え、前記針スリーブは前記収容空間に配されており、前記子プローブは、前記針スリーブに差し込まれ、前記収容空間内に位置し、前記ケーブルは前記針スリーブと電気的に接続し、前記子プローブは、前記針スリーブを介して前記ケーブルと電気的に接続する、請求項２に記載の電流プローブ。
【請求項４】
前記プローブユニットは、更に、少なくとも一つの絶縁部材を備え、前記少なくとも一つの絶縁部材は、前記収容空間内に設けられており、前記針スリーブは前記少なくとも一つの絶縁部材を挿通し、前記少なくとも一つの絶縁部材は、前記第２軸部及び前記針スリーブに挟まれ、前記針スリーブは、前記少なくとも一つの絶縁部材を介して前記第２軸部と電気的に絶縁する、請求項３に記載の電流プローブ。
【請求項５】
前記第１電気接続ポートは、柱部と、少なくとも一つの導電部と、を備え、前記柱部は、スロットと、端面と、を備え、前記端面は、前記スロットの反対側に位置し、前記端面は、前記スロットより前記第１軸部から遠く離れ、前記少なくとも一つの導電部は前記端面に設けられており、前記第１軸部は前記スロットに差し込まれ、前記第１電気接続ポートが前記当接位置に位置するときには、前記少なくとも一つの導電部が前記第２電気接続ポートと電気的に接触する、請求項２に記載の電流プローブ。
【請求項６】
前記プローブユニットは、更に、止めリングを備え、前記柱部は、更に、複数のグルービングを備え、前記複数のグルービングは、前記端面から遠く離れた一端から前記端面へ伸び、前記柱部を複数の挟み片に分け、前記複数の挟み片は前記第１軸部を挟むことが可能であり、前記止めリングは、前記複数の挟み片を係止する、請求項５に記載の電流プローブ。
【請求項７】
前記プローブユニットは、更に、内弾性部材を備え、前記第１軸部は、前記柱部の前記スロットに移動自在に差し込まれており、前記柱部の前記端面から遠く離れた一側は、空間底面を備え、前記内弾性部材は前記スロットに設けられており、前記内弾性部材の両端は、それぞれ前記空間底面及び前記第１軸部に当接し、前記第１電気接続ポートが前記当接位置に位置するときには、前記第１軸部は、前記第２電気接続ポートへ前記内弾性部材を圧縮する、請求項５または６に記載の電流プローブ。
【請求項８】
前記第１軸部の前記第２軸部から遠く離れた一端は、前記第１電気接続ポートの前記柱部の前記スロットに固定されており、前記少なくとも一つの導電部は複数個あり、前記少なくとも一つの導電部の各々は、差込柱と、スライド柱と、導電ヘッドと、を備え、前記差込柱と前記導電ヘッドとは、それぞれ前記スライド柱の両端に連接されており、これらの前記差込柱は前記端面に差し込まれ、これらの前記導電ヘッドは、それぞれこれらの前記スライド柱に対してスライドすることが可能であり、前記第１電気接続ポートが前記当接位置に位置するときには、これらの前記導電ヘッドは、前記第２電気接続ポートと電気的に接触する、請求項５から７のいずれか一項に記載の電流プローブ。
【請求項９】
前記第１電気接続ポートは、更に、複数の組付柱部を備え、前記第１電気接続ポートの前記柱部は、互いに連接する、第１柱部と、第２柱部と、を備え、前記第１柱部の直径は前記第２柱部の直径より小さく、前記複数の組付柱部は、前記第１柱部を囲み、前記第２柱部と連接し、前記端面は、前記第２柱部の前記第１柱部から遠く離れた一側に位置し、前記スロットは前記第１柱部に位置し、前記少なくとも一つの導電部は複数個あり、前記少なくとも一つの導電部の各々は、差込柱と、導電ヘッドと、を備え、これらの前記差込柱は、それぞれ前記端面を移動自在に挿通し、前記複数の組付柱部に差し込まれ、前記第１軸部の前記第２軸部から遠く離れた一端は前記スロットに固定されており、前記第１電気接続ポートが前記当接位置に位置するときには、これらの前記導電ヘッドが前記第２電気接続ポートと電気的に接触する、請求項５から８のいずれか一項に記載の電流プローブ。
【請求項１０】
前記第１電気接続ポートの前記少なくとも一つの導電部は、複数の円錐状構造を備え、前記第１電気接続ポートが前記当接位置に位置するときには、前記複数の円錐状構造が前記第２電気接続ポートと電気的に接触する、請求項５から９のいずれか一項に記載の電流プローブ。
【発明の詳細な説明】
【技術分野】
【０００１】
本発明は、電流プローブに関し、特に、第１電気接続ポートに対応する第２電気接続ポートを有する電流プローブに関するものである。
【背景技術】
【０００２】
目下、電気抵抗値または電圧値などの電気的特性を測定するための機器（特に、大電流（例えば数十アンペアから数百アンペア）を利用する測定機器）は、開発されて市販している。製品を販売する前に、メーカーは、測定機器を利用して、複数のプローブセットに対して多点の電気的テストを行うことにより、製品の良品率及び信頼度を確認する。一般的には、測定機器のプローブセットは、板に固定されており、駆動端と、センシング端と、を備え、駆動端及びセンシング端がそれぞれ電線と接続する。プローブセットが測定対象物に接触すると、大電流が駆動端を経由して測定対象物に流れて、センシング端により、この測定対象物を流れる電流をリターンする。これにより、この測定対象物の電気的特性をテストする。
【０００３】
駆動端と接続する電線は、大電流を出力するため、より太くなり、これにより、複数のプローブセットを有する測定装置の配線が複雑となり、大電流が電線を流れるときに発生する熱が放熱しにくい。ひいては電線の電気抵抗値が増加して、大電流の流れが難しくなる。一方、プローブセットが測定対象物に当接してスライドするときには、測定装置内に位置する電線が一緒に移動することにより、電線は測定装置の内部にある他の部材と摩擦して破損する可能性があり、ひいては電線が短絡して測定装置が無効となりやすい。一方、測定機器を修理するときに、作業者は、プローブセットと接続する電線を取り外して、修理作業を行う。修理作業を終了すると、作業者は、正極端子と接続するはずの電線を、負極端子と接続する可能性があるため、測定機器が損壊する虞がある。
【発明の概要】
【発明が解決しようとする課題】
【０００４】
本発明の主な目的は、従来の測定装置内の電線が複雑であることにより、放熱しにくくなり、針ヘッドと一緒に移動する電線が破損しやすく、電線の接続が間違いやすいという問題を解決することが可能な電流プローブを提供することにある。
【課題を解決するための手段】
【０００５】
本発明の電流プローブによると、基板に組付けることが可能であり、ケーブルと電気的に接続し、測定対象物の電気的特性を測定するためのものであり、プローブユニットと、第２電気接続ポートと、を備え、
プローブユニットは、
基板を移動自在に挿通し、電線通過口を備え、ケーブルが電線通過口を通過する針軸と、
針軸と電気的に接続する第１電気接続ポートと、
針軸の第１電気接続ポートの一端に設けられており、針軸と電気的に接続し、測定対象物に押し付けられるためのものであるプローブヘッドと、
プローブヘッドを挿通し、針軸に差し込まれ、ケーブルと電気的に接続し、針軸と電気的に絶縁し、針軸の第１電気接続ポートから遠く離れた一側に位置する子プローブと、
を備え、
第２電気接続ポートは、第１電気接続ポートに対応する電流プローブにおいて、
プローブヘッドが測定対象物に押し付けられて、第１電気接続ポートが分離位置から当接位置に移動すると、第１電気接続ポートは第２電気接続ポートに当接して、プローブヘッドは、針軸と第１電気接続ポートとを介して、第２電気接続ポートと電気的に接続することを特徴とする。
【０００６】
本発明の電流プローブによると、プローブユニットは、更に、外弾性部材と、少なくとも一つの固定部材と、を備え、針軸は、軸方向に沿って互いに連接する、第１軸部と、第２軸部と、を備え、第１軸部と第２軸部とは、それぞれ基板の両側から突出し、第１電気接続ポートは第１軸部に組付けられており、電線通過口は第１軸部に位置し、プローブヘッドは、第２軸部の第１軸部から遠く離れた一端に設けられており、子プローブは第２軸部に差し込まれ、第２軸部は突起を備え、第２軸部は外弾性部材を挿通し、突起と基板とは、それぞれ外弾性部材の両側に押し付けられ、少なくとも一つの固定部材は、第１軸部に組付けられており、基板から分離可能であるように、基板に当接し、第１電気接続ポートが分離位置に位置するときには、少なくとも一つの固定部材が基板に当接することを特徴とする。
【０００７】
本発明の電流プローブによると、第２軸部は収容空間を備え、収容空間の第１軸部から遠く離れた一端は、第１軸部へ伸び、電線通過口と連通し、プローブユニットは、更に、針スリーブを備え、針スリーブは収容空間に配されており、子プローブは、針スリーブに差し込まれ、収容空間内に位置し、ケーブルは針スリーブと電気的に接続し、子プローブは、針スリーブを介してケーブルと電気的に接続することを特徴とする。
【０００８】
本発明の電流プローブによると、プローブユニットは、更に、少なくとも一つの絶縁部材を備え、少なくとも一つの絶縁部材は、収容空間内に設けられており、針スリーブは少なくとも一つの絶縁部材を挿通し、少なくとも一つの絶縁部材は、第２軸部及び針スリーブに挟まれ、針スリーブは、少なくとも一つの絶縁部材を介して第２軸部と電気的に絶縁することを特徴とする。
【０００９】
本発明の電流プローブによると、第１電気接続ポートは、柱部と、少なくとも一つの導電部と、を備え、柱部は、スロットと、端面と、を備え、端面は、スロットの反対側に位置し、端面は、スロットより第１軸部から遠く離れ、少なくとも一つの導電部は端面に設けられており、第１軸部はスロットに差し込まれ、第１電気接続ポートが当接位置に位置するときには、少なくとも一つの導電部が第２電気接続ポートと電気的に接触することを特徴とする。
【００１０】
本発明の電流プローブによると、プローブユニットは、更に、止めリングを備え、柱部は、更に、複数のグルービングを備え、これらのグルービングは、端面から遠く離れた一端から端面へ伸び、柱部を複数の挟み片に分け、これらの挟み片は第１軸部を挟むことが可能であり、止めリングは、これらの挟み片を係止することを特徴とする。
【００１１】
本発明の電流プローブによると、プローブユニットは、更に、内弾性部材を備え、第１軸部は、柱部のスロットに移動自在に差し込まれており、柱部の端面から遠く離れた一側は、空間底面を備え、内弾性部材はスロットに設けられており、内弾性部材の両端は、それぞれ空間底面及び第１軸部に当接し、第１電気接続ポートが当接位置に位置するときには、第１軸部は、第２電気接続ポートへ内弾性部材を圧縮することを特徴とする。
【００１２】
本発明の電流プローブによると、第１軸部の第２軸部から遠く離れた一端は、第１電気接続ポートの柱部のスロットに固定されており、少なくとも一つの導電部は複数個あり、各導電部は、差込柱と、スライド柱と、導電ヘッドと、を備え、差込柱と導電ヘッドとは、それぞれスライド柱の両端に連接されており、これらの差込柱は端面に差し込まれ、これらの導電ヘッドは、それぞれこれらのスライド柱に対してスライドすることが可能であり、第１電気接続ポートが当接位置に位置するときには、これらの導電ヘッドは、第２電気接続ポートと電気的に接触することを特徴とする。
【００１３】
本発明の電流プローブによると、第１電気接続ポートは、更に、複数の組付柱部を備え、第１電気接続ポートの柱部は、互いに連接する、第１柱部と、第２柱部と、を備え、第１柱部の直径は第２柱部の直径より小さく、これらの組付柱部は、第１柱部を囲み、第２柱部と連接し、端面は、第２柱部の第１柱部から遠く離れた一側に位置し、スロットは第１柱部に位置し、少なくとも一つの導電部は複数個あり、各導電部は、差込柱と、導電ヘッドと、を備え、これらの差込柱は、それぞれ端面を移動自在に挿通し、これらの組付柱部に差し込まれ、第１軸部の第２軸部から遠く離れた一端はスロットに固定されており、第１電気接続ポートが当接位置に位置するときには、これらの導電ヘッドが第２電気接続ポートと電気的に接触することを特徴とする。
【００１４】
本発明の電流プローブによると、第１電気接続ポートの導電部は、複数の円錐状構造を備え、第１電気接続ポートが当接位置に位置するときには、これらの円錐状構造が第２電気接続ポートと電気的に接触することを特徴とする。
【発明の効果】
【００１５】
本発明の電流プローブによれば、次のような効果がある。
（１）電流をプローブヘッドに流す電線は、固定されて動かない第２電気接続ポートに組付けられており、針軸と一緒に移動する第１電気接続ポートに組付けられていないため、プローブヘッドが、測定対象物に当接して、針軸と一緒にスライドするときに、電線は針軸と一緒にスライドしないため、電線の摩耗を減少することが可能である。
【００１６】
（２）第１電気接続ポートと第２電気接続ポートとにより、一部の電線が取り替わるため、プローブユニットの近傍の空間には、大電流を流す電線が設けられていない。これにより、測定装置内の電線が複雑であることにより、放熱しにくい問題を解決することが可能である。
【００１７】
（３）電線は、第１電気接続ポートに組み付けられておらず、第２電気接続ポートに組み付けられているため、修理作業を行う作業者は、プローブユニットを取り外すときに、電線を取り外すことが必要ないため、電線を間違って接続する可能性を有効に減少することが可能である。
【図面の簡単な説明】
【００１８】
【図１】本発明の実施の形態１に係る電流プローブが基板に組付けられている状態を示す斜視図である。
【図２】本発明の実施の形態１に係る電流プローブが基板から分解された状態を示す分解斜視図である。
【図３】本発明の実施の形態１に係る電流プローブの一部を示す断面図である。
【図４】図１における第１電気接続ポートが当接位置に位置する状態を示す断面図である。
【図５】本発明の実施の形態２に係る電流プローブを示す斜視図である。
【図６】本発明の実施の形態３に係る電流プローブを示す斜視図である。
【発明を実施するための形態】
【００１９】
以下、本発明の実施の形態を図面に基づいて説明する。
【００２０】
図１から図３を参照する。図１は本発明の実施の形態１に係る電流プローブが基板に組付けられている状態を示す斜視図である。図２は本発明の実施の形態１に係る電流プローブが基板から分解された状態を示す分解斜視図である。図３は本発明の実施の形態１に係る電流プローブの一部を示す断面図である。
【００２１】
本実施の形態に係る電流プローブ１０は、複数あり、絶縁材料で作製された基板１１に組付けることが可能である。各電流プローブ１０は、ケーブル１２と電気的に接続し、ケーブル１２を介して測定対象物１３からの電流をリターンする。電流プローブ１０は、例えば大電流（例えば数十アンペアから数百アンペア）により、測定対象物１３の電気的特性を測定する。電気的特性とは、例えば電気抵抗値または電圧値などの特性である。以下、電流プローブ１０のうちの一つを例にして説明する。
【００２２】
電流プローブ１０は、プローブユニット１００と、第２電気接続ポート２００と、を備える。プローブユニット１００は、針軸１１０と、外弾性部材１２０と、二つの固定部材１３０と、二つの絶縁部材１４０と、針スリーブ１５０と、プローブヘッド１６０と、子プローブ１７０と、第１電気接続ポート１８０と、内弾性部材１９０と、止めリング１９５と、を備える。
【００２３】
針軸１１０は基板１１を移動自在に挿通する。針軸１１０は、軸方向に連接する、第１軸部１１１と、第２軸部１１２と、を備える。第１軸部１１１と第２軸部１１２とは、それぞれ基板１１の両側から突出する。第２軸部１１２は突起１１２１を備える。第２軸部１１２は、外弾性部材１２０を挿通し、突起１１２１と基板１１とが、それぞれ外弾性部材１２０の両側に当接する。固定部材１３０は、第１軸部１１１に組付けられており、基板１１の第２軸部１１２から遠く離れた一側に当接する。
【００２４】
本実施の形態では、固定部材１３０が一つあるが、本発明はこれらに限定されない。もちろん、固定部材は複数あってもよい。
【００２５】
第１軸部１１１は電線通過口１１１１を備える。ケーブル１２は電線通過口１１１１を挿通する。第２軸部１１２は、更に、収容空間１１２２を備える。収容空間１１２２は、第１軸部１１１から遠く離れた一端から、第１軸部１１１へ伸び、電線通過口１１１１と連通する。二つの絶縁部材１４０と針スリーブ１５０とは、収容空間１１２２に設けられている。針スリーブ１５０は二つの絶縁部材１４０を挿通する。二つの絶縁部材１４０は、第２軸部１１２及び針スリーブ１５０に挟まれる。プローブヘッド１６０は、第２軸部１１２の第１軸部１１１から遠く離れた一端に設けられており、針軸１１０と電気的に接続する。プローブヘッド１６０は、測定対象物１３に押し付けるためのものである。子プローブ１７０は、プローブヘッド１６０を挿通し、第２軸部１１２の収容空間１１２２内に位置する針スリーブ１５０に差し込まれる。ケーブル１２は針スリーブ１５０と電気的に接続することにより、子プローブ１７０は、針スリーブ１５０を介してケーブル１２と電気的に接続する。針スリーブ１５０は、二つの絶縁部材１４０を介して第２軸部１１２と電気的に絶縁する。
【００２６】
第１電気接続ポート１８０は、柱部１８１と、導電部１８２と、を備える。柱部１８１は、スロット１８１１と、端面１８１２と、空間底面１８１３と、複数のグルービング１８１４と、を備える。端面１８１２はスロット１８１１の反対側に位置する。空間底面１８１３は、スロット１８１１内に位置し、端面１８１２の反対側に位置する。これらのグルービング１８１４は、柱部１８１の端面１８１２に対向する一端から、端面１８１２へ伸び、柱部１８１を複数の挟み片１８１５に分ける。針軸１１０の第１軸部１１１は、柱部１８１のスロット１８１１に移動自在に差し込まれる。第１電気接続ポート１８０は針軸１１０と電気的に接続する。内弾性部材１９０は、柱部１８１のスロット１８１１内に設けられており、その両端がそれぞれ空間底面１８１３及び第１軸部１１１に当接する。止めリング１９５は、これらの挟み片１８１５を係止して、これらの挟み片１８１５と共に第１軸部１１１を固定する。導電部１８２は、端面１８１２に設けられており、複数の円錐状構造１８２１を備える。第２電気接続ポート２００は、第１電気接続ポート１８０のこれらの円錐状構造１８２１に対応する。
【００２７】
本実施の形態では、第２電気接続ポート２００により、電流が、第１電気接続ポート１８０に流れて、針軸１１０を経由して、第１電気接続ポート１８０の一端に対向するプローブヘッド１６０に流れる。一方、本実施の形態に係る第２電気接続ポート２００は、例えば良い電気伝導性を持つ銅板を採用し、第１電気接続ポート１８０のこれらの円錐状構造１８２１と複数点で電気的に接触する。これにより、第１電気接続ポート１８０と第２電気接続ポート２００との間のクロス電圧を減少することが可能である。
【００２８】
本実施の形態では、止めリング１９５がこれらの挟み片１８１５を係止することにより、第１軸部１１１の固定を強化することが可能であるが、本発明はこれらに限定されない。もちろん、止めリングを設けなくてもよい。すなわち、挟み片だけで第１軸部を挟んでもよい。
【００２９】
本実施の形態では、プローブヘッド１６０が測定対象物１３に押し付けられて、第１電気接続ポート１８０が分離位置から当接位置に移動するときに、第１電気接続ポート１８０が第２電気接続ポート２００に当接して、プローブヘッド１６０が、針軸１１０と第１電気接続ポート１８０とを介して、第２電気接続ポート２００と電気的に接続する。
【００３０】
次に、電流プローブ１０により測定対象物１３の電気的特性を測定する過程を説明する。図３及び図４を参照する。図４は、図１における第１電気接続ポートが当接位置に位置する状態を示す断面図である。
【００３１】
測定対象物１３の電気的特性を測定しようとする場合には、電流プローブ１０のプローブヘッド１６０と子プローブ１７０とを測定対象物１３に押し付けることにより、針軸１１０が第２電気接続ポート２００の方向Ｄ１へ移動する。これにより、針軸１１０のプローブヘッド１６０から遠く離れた他端に設けられている第１電気接続ポート１８０のこれらの円錐状構造１８２１は、第２電気接続ポート２００と電気的に接触して、第１電気接続ポート１８０が当接位置に位置する。このとき、プローブヘッド１６０は、針軸１１０と第１電気接続ポート１８０とを介して第２電気接続ポート２００と電気的に接続するため、第２電気接続ポート２００からの電流は、第１電気接続ポート１８０と針軸１１０とを経由して、プローブヘッド１６０と接触する測定対象物１３に流れる。この後、電流は、プローブヘッド１６０を経由して測定対象物１３に流れると、子プローブ１７０から、子プローブ１７０と電気的に接続するケーブル１２に流れる。これにより、電流は電流プローブ１０を有する測定装置にリターンされて、測定対象物１３の電気的特性を分析することが可能である。
【００３２】
プローブヘッド１６０が測定対象物１３に押し付けられるときに、プローブヘッド１６０は、測定対象物１３に押さえられて方向Ｄ１に沿って移動して、第１電気接続ポート１８０が第２電気接続ポート２００に押し付けられる。第１電気接続ポート１８０が第２電気接続ポート２００に押し付けられると、柱部のスロット内に設けられている内弾性部材１９０は、第１電気接続ポートと第２電気接続ポートとの押付による衝撃力を吸収することにより、電流プローブ１０の寿命を延びることが可能となる。
【００３３】
一方、内弾性部材１９０の弾性的変位量は、針軸１１０の作製による寸法の誤差を吸収することが可能なため、針軸１１０が測定対象物１３に当接して当接位置にスライドするときに、第１電気接続ポート１８０が第２電気接続ポート２００と電気的に接触することを確保することが可能である。
【００３４】
針軸１１０が移動する過程中に、針軸１１０の第２軸部１１２の突起１１２１は、外弾性部材１２０を方向Ｄ１へ圧縮する。測定対象物１３の電気的特性を取った後、測定対象物１３からプローブヘッド１６０を離脱して、外弾性部材１２０の圧縮による弾力がリリースされる。これにより、外弾性部材１２０は、針軸１１０の第２軸部１１２の突起１１２１を押さえて、針軸１１０が方向Ｄ１の逆方向に移動し、第１電気接続ポート１８０は、針軸１１０の移動に従って、第２電気接続ポート２００から離脱する。本実施の形態では、外弾性部材１２０を設けることにより、電流プローブ１０は、測定対象物１３を測定した後、本来の測定前の位置に戻す。針軸１１０が方向Ｄ１の逆方向に移動しているときに、第１電気接続ポート１８０は第２電気接続ポート２００から離脱することにより、圧縮された内弾性部材１９０の弾力がリリースされ、第１電気接続ポート１８０が押さえられて針軸１１０の第１軸部１１１から離れる。移動している針軸１１０により、固定部材１３０が基板１１に当接すると、第１電気接続ポート１８０は図３に示す分離位置に位置する。
【００３５】
本実施の形態では、電流をプローブヘッド１６０に流す電線は、固定されて動かない第２電気接続ポート２００に取り付けられており、針軸１１０と一緒に移動する第１電気接続ポート１８０に取り付けられていないため、プローブヘッド１６０が測定対象物１３に当接して針軸１１０とスライドするときに、電線は針軸１１０と共にスライドせず、電線が摩耗して破損する確率を減少することが可能である。
【００３６】
一方、第１電気接続ポート１８０と第２電気接続ポート２００とにより、一部の電線が取り替わるため、プローブユニット１００の近傍にある空間に、大電流を流す電線が設けられていないため、測定装置内の電線が複雑であり、放熱しにくい問題を解決することが可能である。
【００３７】
また、電線は、第２電気接続ポート２００に組付けられており、第１電気接続ポート１８０に組付けられていないため、修理作業を行う作業者は、プローブユニット１００を取り外すときに、電線を取り外すことが必要ないため、電線の接続を間違う確率を有効に減少することが可能である。
【００３８】
本実施の形態では、子プローブ１７０は針スリーブ１５０に脱着可能に差し込まれるため、電流プローブ１０が測定対象物１３に長期的に繰り返して当接して摩耗すると、電流プローブ１０を取り外さず、子プローブ１７０を取り換えることが可能であり、ひいては子プローブ１７０の交換は便利となる。また、本実施の形態に係る電流プローブ１０において、止めリング１９５は、第１電気接続ポート１８０から分離することが可能であるように、第１電気接続ポート１８０を係止するため、第１電気接続ポート１８０の円錐状構造１８２１は、電流プローブ１０が長期的に利用されて摩耗すると、止めリング１９５を取り外すだけで、第１電気接続ポート１８０を交換することが可能なため、第１電気接続ポート１８０の交換は便利となる。
【００３９】
上記の実施の形態では、第１電気接続ポート１８０の円錐状構造１８２１が柱部１８１の端面１８１２に設けられているが、本発明はこれらに限定されない。図５及び図６を参照する。図５は本発明の実施の形態２に係る電流プローブを示す斜視図である。図６は本発明の実施の形態３に係る電流プローブを示す斜視図である。
【００４０】
図５に示すように、本実施の形態に係る電流プローブ１０'において、第１軸部１１１'の第２軸部１１２'から遠く離れた一端は、第１電気接続ポート１８０'の柱部１８１'のスロット１８１１'に固定されており、導電部１８２'は複数ある。各導電部１８２'は、互いに連接する、差込柱１８２２'と、スライド柱１８２３'と、導電ヘッド１８２４'と、を備える。差込柱１８２２'と導電ヘッド１８２４'とは、それぞれスライド柱１８２３'の両端と連接する。これらの差込柱１８２２'は、柱部１８１'の端面１８１２'に差し込まれる。これらのスライド柱１８２３'は、それぞれこれらの差込柱１８２２'に対してスライドすることが可能である。これらの円錐状構造１８２１'は、これらの導電ヘッド１８２４'上に位置する。第１電気接続ポート１８０'が当接位置に位置するときには、これらの円錐状構造１８２１'が第２電気接続ポートと電気的に接触する（図４に示すことに近似する。）。
【００４１】
図６に示すように、本実施の形態に係る電流プローブ１０''において、第１電気接続ポート１８０''は、更に、複数の組付柱部１８３''を備える。第１電気接続ポート１８０''の柱部１８１''は、互いに連接する、第１柱部１８１３''と、第２柱部１８１４''と、を備える。第１柱部１８１３''の直径Ｒ１は、第２柱部１８１４''の直径Ｒ２より小さい。これらの組付柱部１８３''は、第１柱部１８１３''を囲み、第２柱部１８１４''と連接し、端面１８１２''が第２柱部１８１４''の第１柱部１８１３''から遠く離れた一側に位置し、スロット１８１１''が第１柱部１８１３''に位置する。導電部１８２''は、複数あり、差込柱１８２２''と、導電ヘッド１８２３''と、をそれぞれ備える。これらの円錐状構造１８２１''は、これらの導電ヘッド１８２３''上に位置する。これらの差込柱１８２２''は、それぞれ移動可能であるように、端面１８１２''を挿通して、これらの組付柱部１８３''に差し込まれる。第１軸部１１１''の第２軸部１１２''から遠く離れた一端はスロット１８１１''に固定されている。第１電気接続ポート１８０''が当接位置に位置するときに、これらの導電ヘッド１８２３''は第２電気接続ポートと電気的に接触する（図４に示すことに近似する。）。
【００４２】
上記の実施の形態に係る電流プローブによれば、電流をプローブヘッドに流す電線は、固定されて動かない第２電気接続ポートに組付けられており、針軸と一緒に移動する第１電気接続ポートに組付けられていないため、プローブヘッドが、測定対象物に当接して、針軸と一緒にスライドするときに、電線は針軸と一緒にスライドしないため、電線の摩耗を減少することが可能である。
【００４３】
また、第１電気接続ポートと第２電気接続ポートとにより、一部の電線が取り替わるため、プローブユニットの近傍の空間には、大電流を流す電線が設けられていない。これにより、測定装置内の電線が複雑であることにより、放熱しにくい問題を解決することが可能である。
【００４４】
また、電線は、第１電気接続ポートに組み付けられておらず、第２電気接続ポートに組み付けられているため、修理作業を行う作業者は、プローブユニットを取り外すときに、電線を取り外すことが必要ないため、電線を間違って接続する可能性を有効に減少することが可能である。
【００４５】
柱部のスロット内に設けられている内弾性部材は、第１電気接続ポートと第２電気接続ポートとの押付による衝撃力を吸収することにより、第１電気接続ポートの寿命を有効に延びることが可能となる。また、内弾性部材の弾性的変位量は、針軸の作製による寸法の誤差を吸収することが可能なため、針軸が測定対象物１３に当接して当接位置にスライドするときに、第１電気接続ポートが第２電気接続ポートと電気的に接触することを確保することが可能である。一方、外弾性部材を設けることにより、電流プローブは、測定対象物を測定した後、本来の測定前の位置に戻す。
【００４６】
このように、本発明の特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【符号の説明】
【００４７】
１０，１０'，１０''  電流プローブ
１１  基板
１２  ケーブル
１３  測定対象物
１００  プローブユニット
１１０  針軸
１１１，１１１'  第１軸部
１１１１  電線通過口
１１２，１１２'  第２軸部
１１２１  突起
１１２２  収容空間
１２０  外弾性部材
１３０  固定部材
１４０  絶縁部材
１５０  針スリーブ
１６０  プローブヘッド
１７０  子プローブ
１８０，１８０'， １８０''  第１電気接続ポート
１８１，１８１'，１８１''  柱部
１８１１，１８１１'，１８１１''  スロット
１８１２，１８１２'，１８１２''  端面
１８１３  空間底面
１８１３''  第１柱部
１８１４''  第２柱部
１８１４  グルービング
１８１５  挟み片
１８２，１８２'，１８２''  導電部
１８２１，１８２１'，１８２１''  円錐状構造
１８２２'，１８２２''  差込柱
１８２３'  スライド柱
１８２４'，１８２３''  導電ヘッド
１８３''  組付柱部
１９０  内弾性部材
１９５  止めリング
２００  第２電気接続ポート
Ｒ１、Ｒ２  直径
Ｄ１  方向
【図１】
2019120683.tif 000003
【図２】
2019120683.tif 000004
【図３】
2019120683.tif 000005
【図４】
2019120683.tif 000006
【図５】
2019120683.tif 000007
【図６】
2019120683.tif 000008